【手続補正書】
【提出日】平成18年1月27日(2006.1.27)
【手続補正１】
【補正対象書類名】明細書
【補正対象項目名】全文
【補正方法】変更
【補正の内容】
【書類名】      明細書
【発明の名称】  プリント・システム
【特許請求の範囲】
【請求項１】  ディジタル・コンテンツ・サーバと、インターネットを介して上記ディジタル・コンテンツ・サーバと通信可能な携帯電話と、上記携帯電話と通信可能なプリント装置と、からなるプリント・システムにおいて、
上記ディジタル・コンテンツ・サーバが、
上記携帯電話から送信されるダウンロード要求コマンドであって、上記ディジタル・コンテンツ・サーバに格納されているディジタル・コンテンツのダウンロード要求を示すダウンロード要求コマンドを受信するコマンド受信手段、および
上記コマンド受信手段により受信されたダウンロード要求コマンドに応じたディジタル・コンテンツを上記携帯電話に送信する第１のディジタル・コンテンツ送信手段を備え、
上記携帯電話が、
上記ディジタル・コンテンツ・サーバに上記ダウンロード要求コマンドを送信するコマンド送信手段、
上記ディジタル・コンテンツ・サーバの上記第１のディジタル・コンテンツ送信手段から送信されたディジタル・コンテンツを受信する第１のディジタル・コンテンツ受信手段、
上記第１のディジタル・コンテンツ受信手段により受信したディジタル・コンテンツを、近距離通信を用いて上記プリント装置に送信する第２のディジタル・コンテンツ送信手段、および
上記第１のディジタル・コンテンツ受信手段により受信したディジタル・コンテンツの内容をプリントするように上記プリント装置を制御するプリント装置制御手段を備え、
上記プリント装置が、
上記携帯電話の上記第２のディジタル・コンテンツ送信手段から送信されたディジタル・コンテンツを受信する第２のディジタル・コンテンツ受信手段、および
上記第２のディジタル・コンテンツ受信手段により受信したディジタル・コンテンツの内容を上記携帯電話の上記プリント装置制御手段の制御のもとにプリントするプリンタを備えた、
プリント・システム。
【請求項２】  上記プリンタ装置が、
上記プリンタ装置の制御プログラムを上記携帯電話に送信する制御プログラム送信手段をさらに備え、
上記携帯電話が、
上記プリンタ装置の上記制御プログラム送信手段から送信された制御プログラムを受信する制御プログラム受信手段をさらに備え、
上記プリント装置制御手段が、上記制御プログラム受信手段により受信した制御プログラムにもとづいて、上記プリンタ装置を制御するものである、
請求項１に記載のプリント・システム。
【請求項３】  上記プリント装置が、
上記ディジタル・コンテンツについてのプリント状況を示すデータを上記携帯電話に送信するプリント状況送信手段をさらに備え、
上記携帯電話が、
上記プリント装置の上記プリント状況送信手段から送信されたプリント状況を示すデータによって示されるプリント状況を報知する報知手段、
をさらに備えた請求項１に記載のプリント・システム。
【請求項４】  上記ディジタル・コンテンツ・サーバが、
上記コマンド受信手段によって受信した上記ダウンロード要求コマンドを送信した上記携帯電話のユーザが、上記ダウンロード要求コマンドに応じたディジタル・コンテンツをプリントする正当権限があるかどうかを判定する判定手段をさらに備え、
上記第１のディジタル・コンテンツ送信手段が、上記判定手段により、上記正当権限があると判定されたことに応じて上記ダウンロード要求コマンドに応じたディジタル・コンテンツを上記携帯電話に送信するものである、
請求項１に記載のプリント・システム。
【請求項５】  上記プリンタ装置が、
上記プリンタにおいてプリントされた枚数を表すデータを上記携帯電話に送信する手段をさらに備え、
上記携帯電話が、
上記プリンタ装置の上記プリント枚数データ送信手段から送信されたプリント枚数データを受信して上記ディジタル・コンテンツ・サーバに送信する受送信手段をさらに備え、
上記ディジタル・コンテンツ・サーバが、
上記携帯電話の受送信手段から送信されたプリント枚数データから課金結果を表すデータを生成する生成手段、および
上記生成手段によって生成された課金結果を表すデータを上記携帯電話に送信する手段をさらに備えた、
請求項１に記載のプリント・システム。
【請求項６】  ディジタル・コンテンツのダウンロード要求を示すダウンロード要求コマンドを、ディジタル・コンテンツ・サーバに送信するコマンド送信手段、
上記ダウンロード要求コマンドに応じて、ディジタル・コンテンツ・サーバから送信されたディジタル・コンテンツを受信するディジタル・コンテンツ受信手段、
上記ディジタル・コンテンツ受信手段により受信したディジタル・コンテンツを、近距離通信を用いて上記プリント装置に送信するディジタル・コンテンツ送信手段、および
上記ディジタル・コンテンツ受信手段により受信したディジタル・コンテンツの内容をプリントするように上記プリント装置を制御するプリント装置制御手段、
を備えた携帯電話。
【請求項７】  携帯電話から送信されたディジタル・コンテンツを受信するディジタル・コンテンツ受信手段、および
上記ディジタル・コンテンツ受信手段により受信したディジタル・コンテンツの内容を上記携帯電話の制御のもとにプリントするプリンタ、
を備えたプリント装置。
【請求項８】  互いに通信可能な携帯電話と制御装置とからなる制御システムにおいて、
上記制御装置は、
上記制御装置の制御プログラムを上記携帯電話に送信する送信手段を備え、
上記携帯電話は、
上記制御装置の上記送信手段から送信された制御プログラムを受信する受信手段、および
上記受信手段によって受信した制御プログラムにもとづいて、上記制御装置を制御する制御手段、
を備えた制御システム。
【請求項９】  制御装置と通信可能な携帯電話において、
上記制御装置から送信された制御プログラムを受信する受信手段、および
上記受信手段によって受信した制御プログラムにもとづいて、上記制御装置を制御する制御手段、
を備えた携帯電話。
【請求項１０】  ディジタル・コンテンツ・サーバに、ディジタル・コンテンツのダウンロード要求を示すダウンロード要求コマンドを送信し、
上記ダウンロード要求コマンドに応じて、ディジタル・コンテンツ・サーバから送信されたディジタル・コンテンツを受信し、
受信したディジタル・コンテンツを、近距離通信を用いてプリント装置に送信し、
受信したディジタル・コンテンツの内容をプリントするように上記プリント装置を制御する、
携帯電話の動作制御方法。
【請求項１１】  携帯電話から送信されたディジタル・コンテンツを受信し、
受信したディジタル・コンテンツの内容を上記携帯電話の制御のもとにプリントする、
プリント装置の動作制御方法。
【請求項１２】  制御装置と通信可能な携帯電話において、
上記制御装置から送信された制御プログラムを受信し、
受信した制御プログラムにもとづいて、上記制御装置を制御する、
携帯電話の動作制御方法。
【発明の詳細な説明】
【０００１】
【技術分野】
この発明は、プリント・システム、プリント・システムを構成する携帯電話（ＰＨＳ：personal handyphone system を含む）およびその動作制御方法ならびにプリント・システムを構成するプリンタ装置およびその動作制御方法ならびに制御システム、制御システムを構成する携帯電話およびその動作制御方法に関する。
【０００２】
【発明の背景】
携帯電話が高機能化するにつれ、携帯電話を用いて単に通話するだけでなく様々な使用方法が実現されている。たとえば、携帯電話を使ってディジタル・コンテンツ・サーバに接続することもできる。
【０００３】
このように携帯電話の高機能化に伴い、その使用方法も模索されている。
【０００４】
【発明の開示】
この発明は、携帯電話の新たな使用方法を提供するものである。
【０００５】
第１の発明によるプリント・システムは、ディジタル・コンテンツ・サーバと、インターネットを介して上記ディジタル・コンテンツ・サーバと通信可能な携帯電話と、上記携帯電話と通信可能なプリント装置と、からなるものである。
【０００６】
上記ディジタル・コンテンツ・サーバは、上記携帯電話から送信されるダウンロード要求コマンドであって、上記ディジタル・コンテンツ・サーバに格納されているディジタル・コンテンツのダウンロード要求を示すダウンロード要求コマンドを受信するコマンド受信手段、および上記コマンド受信手段により受信されたダウンロード要求コマンドに応じたディジタル・コンテンツ（画像データ、テキスト・データなど）を上記携帯電話に送信する第１のディジタル・コンテンツ送信手段を備えている。
【０００７】
上記携帯電話は、上記ディジタル・コンテンツ・サーバに上記ダウンロード要求コマンドを送信するコマンド送信手段、上記ディジタル・コンテンツ・サーバの上記第１のディジタル・コンテンツ送信手段から送信されたディジタル・コンテンツを受信する第１のディジタル・コンテンツ受信手段、上記第１のディジタル・コンテンツ受信手段により受信したディジタル・コンテンツを、近距離通信を用いて上記プリント装置に送信する第２のディジタル・コンテンツ送信手段、および上記第１のディジタル・コンテンツ受信手段により受信したディジタル・コンテンツの内容をプリントするように上記プリント装置を制御するプリント装置制御手段を備えている。
【０００８】
上記プリント装置は、上記携帯電話の上記第２のディジタル・コンテンツ送信手段から送信されたディジタル・コンテンツを受信する第２のディジタル・コンテンツ受信手段、および上記第２のディジタル・コンテンツ受信手段により受信したディジタル・コンテンツの内容を上記携帯電話の上記プリント装置制御手段の制御のもとにプリントするプリンタを備えている。
【０００９】
上記ディジタル・コンテンツ・サーバ、上記携帯電話および上記プリント装置をそれぞれ単独で構成してもよい。
【００１０】
第１の発明は、上記携帯電話の動作制御方法も提供している。すなわち、この方法は、ディジタル・コンテンツ・サーバに、ディジタル・コンテンツのダウンロード要求を示すダウンロード要求コマンドを送信し、上記ダウンロード要求コマンドに応じて、ディジタル・コンテンツ・サーバから送信されたディジタル・コンテンツを受信し、受信したディジタル・コンテンツを、近距離通信を用いて上記プリント装置に送信し、受信したディジタル・コンテンツの内容をプリントするように上記プリント装置を制御するものである。
【００１１】
第１の発明は、上記プリント装置の動作制御方法も提供している。すなわち、この方法は、携帯電話から送信されたディジタル・コンテンツを受信し、受信したディジタル・コンテンツの内容を上記携帯電話の制御のもとにプリントするものである。
【００１２】
第１の発明によると、上記携帯電話のユーザは、上記携帯電話を用いて上記ディジタル・コンテンツ・サーバにインターネットを介してアクセスする。すると、上記携帯電話の表示画面にウェブ・ページ（ホーム・ページ）が表示される。ユーザは、ダウンロードしたいディジタル・コンテンツが含まれているウェブ・ページを探し出す。所望のウェブ・ページが上記携帯電話の表示画面に表示されると、ダウンロード要求コマンドが上記携帯電話から上記ディジタル・コンテンツ・サーバに送信される。
【００１３】
上記ディジタル・コンテンツ・サーバにおいて、上記携帯電話から送信されたダウンロード要求コマンドが受信されると、そのコマンドに応じてユーザが要求したディジタル・コンテンツが上記携帯電話に送信される。
【００１４】
上記携帯電話において、上記ディジタル・コンテンツ・サーバから送信されたディジタル・コンテンツが受信される。受信されたディジタル・コンテンツは、上記携帯電話から上記プリント装置にBluetoothなどの近距離通信を用いて送信される。
【００１５】
上記携帯電話から送信されたディジタル・コンテンツは、上記プリント装置において受信される。すると、上記携帯電話のプリント装置制御手段によって、ディジタル・コンテンツの内容をプリントするように上記プリント装置が制御される。
【００１６】
このように、ディジタル・コンテンツ・サーバからダウンロードしたディジタル・コンテンツの内容をプリントするように上記携帯電話を用いて上記プリント装置を制御できるようになる。プリンタ装置をディジタル・コンテンツ・サーバに接続することなく、ディジタル・コンテンツ・サーバに格納されているディジタル・コンテンツの内容をプリントできるようになる。しかも、上記プリント装置の制御は上記携帯電話を用いてできる。
【００１７】
上記プリンタ装置に、上記プリンタ装置の制御プログラムを上記携帯電話に送信する制御プログラム送信手段をさらに備えてもよい。この場合、上記携帯電話には、上記プリンタ装置の上記制御プログラム送信手段から送信された制御プログラムを受信する制御プログラム受信手段をさらに備えることとなろう。そして、上記プリント装置制御手段が上記制御プログラム受信手段により受信した制御プログラムにもとづいて、上記プリンタ装置を制御するものとなろう。
【００１８】
上記プリント装置の制御プログラムが上記プリント装置から上記携帯電話に送信されるので、上記携帯電話に上記プリント装置の制御プログラムが格納されていない場合であっても上記携帯電話を用いて上記プリント装置を制御できるようになる。
【００１９】
上記プリント装置に、上記ディジタル・コンテンツについてのプリント状況を示すデータを上記携帯電話に送信するプリント状況送信手段をさらに備えてもよい。この場合、上記携帯電話に、上記プリント装置の上記プリント状況送信手段から送信されたプリント状況を示すデータによって示されるプリント状況を報知する報知手段をさらに備えることとなろう。
【００２０】
上記携帯電話において、上記プリント装置のプリント状況が報知（表示、音声出力など）されるので、上記携帯電話のユーザは、プリント状況を確認できるようになる。
【００２１】
上記ディジタル・コンテンツ・サーバが、上記コマンド受信手段によって受信した上記ダウンロード要求コマンドを送信した上記携帯電話のユーザが、上記ダウンロード要求コマンドに応じたディジタル・コンテンツをプリントする正当権限があるかどうかを判定する判定手段をさらに備えてもよい。この場合、上記第１のディジタル・コンテンツ送信手段は、上記判定手段により、上記正当権限があると判定されたことに応じて上記ダウンロード要求コマンドに応じたディジタル・コンテンツを上記携帯電話に送信するものとなろう。
【００２２】
さらに、上記プリンタ装置が、上記プリンタにおいてプリントされた枚数を表すデータを上記携帯電話に送信する手段をさらに備えてもよい。この場合、上記携帯電話は、上記プリンタ装置の上記プリント枚数データ送信手段から送信されたプリント枚数データを受信して上記ディジタル・コンテンツ・サーバに送信する受送信手段をさらに備え、上記ディジタル・コンテンツ・サーバは、上記携帯電話の受送信手段から送信されたプリント枚数データから課金結果を表すデータを生成する生成手段、および上記生成手段によって生成された課金結果を表すデータを上記携帯電話に送信する手段をさらに備えることとなろう。
【００２３】
第２の発明は、互いに通信可能な携帯電話と制御装置とからなる制御システムである。
【００２４】
上記制御装置は、上記制御装置の制御プログラムを上記携帯電話に送信する送信手段を備えている。
【００２５】
上記携帯電話は、上記制御装置の上記送信手段から送信された制御プログラムを受信する受信手段、および上記受信手段によって受信した制御プログラムにもとづいて、上記制御装置を制御する制御手段を備えている。
【００２６】
上記制御システムを構成する携帯電話および制御装置をそれぞれ単独で構成してもよい。
【００２７】
第２の発明は、上記携帯電話の動作制御方法も提供している。すなわち、この方法は、制御装置と通信可能な携帯電話において、上記制御装置から送信された制御プログラムを受信し、受信した制御プログラムにもとづいて、上記制御装置を制御するものである。
【００２８】
第２の発明によると、上記制御装置（プリント装置など）から上記携帯電話に上記制御装置の制御プログラムが送信される。上記携帯電話において上記制御装置の制御プログラムが受信されると、その受信された制御プログラムにもとづいて上記制御装置が制御される。
【００２９】
上記携帯電話を用いて上記制御装置の動作を制御できるようになる。
【００３０】
【実施例の説明】
図１は、この発明の実施例を示すもので、プリント・システムの概要を示している。
【００３１】
プリント・システムは、携帯電話１，プリント端末装置30およびウェブ・サーバ（ディジタル・コンテンツ・サーバ）50から構成されている。携帯電話１とプリント端末装置30とは、Bluetoothにより互いに近距離通信可能である。近距離通信は、Bluetoothに限らないのはいうまでもない。携帯電話１とウェブ・サーバ50とはインターネットを介して互いに通信可能である。
【００３２】
この実施例によるプリント・システムは、携帯電話１によりウェブ・サーバ50にアクセスし、ウェブ・サーバ50からプリントすべきデータ（プリント・データ）が携帯電話１にダウンロードされる。ダウンロードされたプリント・データが携帯電話１からプリント端末装置30に送信される。プリント端末装置30において、携帯電話１の制御のもとにプリント・データによって表される内容（画像、テキストなど）がプリントされる。より詳細は、以下の説明によって明らかとなろう。
【００３３】
図２は、携帯電話１の電気的構成を示すブロック図である。
【００３４】
携帯電話１の全体の動作は、ＣＰＵ12によって統括される。
【００３５】
携帯電話１には、データを一時的に記憶するためのメモリ13，動作プログラムその他のデータが記憶されている不揮発性メモリ14およびカレンダ／時計15が含まれている。また、テン・キーパッド、決定ボタン等を含む操作スイッチ／ＬＥＤ（light emitting diode）５が携帯電話５に含まれている。操作スイッチ／ＬＥＤ５からの操作信号は、Ｉ／Ｏ（input output）ユニット６を介してＣＰＵ12に入力する。また、ＣＰＵ12から出力される表示制御信号は、Ｉ／Ｏユニット６を介して操作スイッチ／ＬＥＤ５に与えられ、ＬＥＤの発光が制御される。また、携帯電話１には、液晶表示装置７が設けられている。この液晶表示装置７は、液晶表示装置制御回路８によって制御される。さらに、携帯電話１には、電源回路22が設けられており、この電源回路22から携帯電話１を構成する各回路に電源が供給される。
【００３６】
携帯電話１には、近距離通信用の内蔵アンテナ２が含まれている。この内蔵アンテナ２によりプリント端末装置30と近距離通信ができる。プリント端末装置30から近距離通信により送信されたデータは、内蔵アンテナ２を介して送受信回路３により受信される。受信されたデータは、送受信バッファ４に一時的に記憶される。受信したデータは、送受信バッファ４から読み出され、ＣＰＵ12に入力する。受信したデータの内容に応じてＣＰＵ12により動作が制御される。
【００３７】
また、上述したように携帯電話１からプリント端末装置30に近距離通信を用いてデータを送信することもできる。その場合、プリント端末装置30に送信すべきデータが送受信バッファ４に与えられる。送受信バッファ４からデータが読み出され、送受信回路３によって近距離通信用の内蔵アンテナ２からプリント端末装置30に送信される。
【００３８】
携帯電話１は、電話回線を通じて通話することもできる。電話回線から与えられる音声データは、電話回線用の内蔵アンテナ11を介して送受信回路９により受信される。受信した音声データは、送受信バッファ10を介してディジタル／アナログ変換回路16に与えられ、アナログ音声信号に変換される。アナログ音声信号が復調回路17において復調される。復調されたアナログ音声信号がスピーカ18に与えられ、音声が出力される。
【００３９】
マイクロフォン21に与えられた音声は、マイクロフォン21においてアナログ音声信号に変換される。アナログ音声信号は、変調回路20において変調されアナログ／ディジタル変換回路19に与えられる。アナログ音声信号がアナログ／ディジタル変換回路19においてディジタル音声データに変換される。ディジタル音声データは、送受信バッファ10を介して送受信回路９に与えられ、電話回線用の内蔵アンテナ11により通話相手の電話に送信される。
【００４０】
上述したように携帯電話１は、ウェブ・サーバ50から送信されるデータもダウンロードできる。ウェブ・サーバ50から送信されたデータは、電話回線用の内蔵アンテナ11を介して送受信回路９により受信され、送受信バッファ10に一時的に記憶される。ウェブ・サーバ10から送信されたデータが表示可能なデータであれば、受信したデータは送受信バッファ10から液晶表示制御回路８に与えられる。液晶表示装置７の表示画面上に受信したデータによって表される内容が表示される。
【００４１】
また、受信したデータは、送受信バッファ４を介して送受信回路３に与えられることにより、近距離通信用の内蔵アンテナ２からプリント端末装置30に送信することもできる。
【００４２】
図３は、プリント端末装置30の電気的構成を示すブロック図である。
【００４３】
プリント端末装置30の全体の動作は、ＣＰＵ39によって統括される。
【００４４】
プリント端末装置30には、プリンタ42のタイプを示すデータ、プリンタ42を制御する制御プログラムその他の所定のデータを記憶する不揮発性メモリ40および動作プログラムその他のデータを記憶するシステム・メモリ41が含まれている。
【００４５】
また、プリント端末装置30には、各種操作指令を与えるための操作スイッチ34が設けられており、操作スイッチ34からの指令を示す信号は、ＣＰＵ39に入力する。さらに、プリント端末装置30には記録メディア入力コネクタ35が設けられている。記録メディア入力コネクタ35にメモリ・カードなどの記録メディアが接続されると、記録メディアに記録されているデータがインターフェイス（Ｉ／Ｆ）36を介してプリント端末装置30に入力する。
【００４６】
携帯電話１からデータが送信されると、近距離通信用アンテナ31を介して無線インターフェイス32によりプリント端末装置30に入力する。入力したデータが画像データであれば、表示装置33に与えられることにより、その入力した画像データによって表される画像が表示される。プリント端末装置30は、外部出力も可能である。入力したデータが画像データであると、フレーム・メモリ38を介して表示コントローラ37に与えられる。外部の表示装置に画像データが与えられることにより、外部の表示装置の表示画面に入力した画像データによって表される画像が表示される。
【００４７】
また、入力したデータが画像データであれば、プリンタ42に与えられることにより、入力した画像データによって表される画像がプリントされることとなる。
【００４８】
図４および図５は、ウェブ・サーバ50，携帯電話１およびプリント端末装置30の処理手順を示すフローチャートである。
【００４９】
まず、携帯電話１の操作スイッチ／ＬＥＤ５を用いてＵＲＬ（たとえばホーム・ページ検索用のＵＲＬ）が入力される（ステップ71）。
【００５０】
携帯電話１とウェブ・サーバ50との間で接続が確立される。すると、ウェブ・サーバ50において、携帯電話向けの画像が生成される（ステップ61）。もちろん、あらかじめ携帯電話向けの画像が生成されていてもよい。ウェブ・サーバ50から携帯電話１に、ウェブ・ページ表示用のＨＴＭＬ（hype text markup language）文書および画像データが送信される。
【００５１】
携帯電話１において、ウェブ・ページ表示用のＨＴＭＬ文書および画像データが受信されると、液晶表示装置７の表示画面にウェブ・ページが表示される（ステップ72）。ウェブ・ページが表示されると、プリントすべきディジタル・コンテンツ（プリント・コンテンツ）を含むウェブ・ページが検索される（ステップ73）。たとえば、ウェブ・サーバ50にアップロードされている個人の画像、タレントやアイドルの画像、地図の画像、電車やバスの時刻表の画像、商店街情報の画像、ゲームをクリアしたときの証明書の画像などが含まれるウェブ・ページが検索される。
【００５２】
検索によりプリント・コンテンツが決定すると、そのプリント枚数、プリント・サイズも操作スイッチ／ＬＥＤ５を用いて入力される（ステップ74）。プリント・コンテンツを特定するデータ、プリント枚数を示すデータ、プリント・サイズ、携帯電話１の電話番号（また電子メール・アドレス）などがプリント注文情報として、携帯電話１からウェブ・サーバ50に送信される（ステップ75）。
【００５３】
ウェブ・サーバ50においてプリント注文情報が受信されると（ステップ63）、受信したプリント注文情報にもとづいて注文が成立するかどうかが判定される（ステップ63）。たとえば、一定のユーザにのみプリント可能な画像のプリント注文であって、プリント注文したユーザがそのプリントの正当権限がない場合には注文は不成立と判定されよう（ステップ63）。
【００５４】
注文が成立すると、携帯電話１からプリント端末装置30に近距離通信による接続要求が行われる（ステップ76）。
【００５５】
携帯電話１とプリント端末装置30との間で近距離通信の接続が確立する（ステップ91でＹＥＳ）。プリンタ端末装置30の不揮発性メモリ40に記憶されているプリンタ・タイプおよび制御プログラム名をそれぞれ表すデータがプリント端末装置30から携帯電話１に送信される（ステップ92）。
【００５６】
プリント端末装置30から送信されたプリンタ・タイプおよび制御プログラム名をそれぞれ表すデータが携帯電話１において受信される（ステップ77）。すると、携帯電話１によってプリント端末装置30によるプリントを制御できるかどうかが判定される。携帯電話１に、プリンタ・タイプに応じた制御プログラムが記憶されていれば、制御できると判定され、プリンタ・タイプに応じた制御プログラムが記憶されていなければ制御できないと判定される。判定の結果、プリント端末装置30によるプリントの制御の可否を表すデータが携帯電話１からプリント端末装置30に送信される（ステップ78）。
【００５７】
携帯電話１を用いてプリント端末装置30によるプリントを制御できなければ（ステップ79でＮＯ）、携帯電話１の表示装置７の表示画面110には図６（Ａ）に示すような制御プログラム・ダウンロード要求画像が表示される。
【００５８】
ダウンロード要求画像には、プリント端末装置30の制御プログラムのダウンロードを要求するときに選択される領域111と制御プログラムのダウンロードをしないときに選択される領域112とが含まれている。ユーザによっていずれかの領域が選択される。領域112が選択されると、携帯電話１ではプリント端末装置30のプリント制御ができないので、ユーザは、プリント端末装置30の操作スイッチ34を用いてプリント指令を与えることとなる。携帯電話１の表示画面110には、図６（Ｂ）に示すように、プリント端末装置30の操作スイッチ34を用いて操作する指示が表示される。
【００５９】
領域111が選択され、制御プログラムをプリント端末装置30からダウンロードする指令が携帯電話１に与えられると（ステップ80でＹＥＳ）、制御プログラムの送信指令がプリント端末装置30に送信される。
【００６０】
携帯電話１を用いてプリント端末装置30を制御できない場合において（ステップ93でＮＯ）、携帯電話１からの制御プログラムの送信指令がプリント端末装置30において受信されると（ステップ94でＹＥＳ）、プリント端末装置30の不揮発性メモリ40から制御プログラムが読み出され、携帯電話１に送信される（ステップ95）。
【００６１】
携帯電話１において、プリント端末装置30から送信された制御プログラムが受信されると（ステップ81）、携帯電話１の表示画面110には図６（Ｃ）に示されるように、ダウンロード終了画像が表示される。このダウンロード終了画像には、制御プログラムのダウンロード終了をユーザが確認したときに選択される領域113が含まれている。領域113が選択されると、プリント・コンテンツの送信要求が携帯電話１からウェブ・サーバ50に送信される（ステップ82）。
【００６２】
すると、ウェブ・サーバ50から携帯電話１にプリント・コンテンツが送信される（ステップ64）。
【００６３】
ウェブ・サーバ50から送信されたプリント・コンテンツが携帯電話１において受信されると、携帯電話１の表示画面110には図６（Ｄ）に示すプリント・コンテンツ送信確認画像が表示されるこのプリント・コンテンツ送信確認画像には、送信指令を与えるときに選択され領域114と送信しないときに選択される領域115とが含まれている。領域114が選択されることにより、その受信したプリント・コンテンツとともに、プリント注文情報がプリント端末装置30に送信される（ステップ83）。領域115が選択されると、プリント・コンテンツのプリント端末装置30への送信は、中止されるのはいうまでもない。また、プリント・コンテンツをプリント端末装置30に送信中には、携帯電話１の表示画面110には図７（Ａ）に示す送信中画像が表示される。
【００６４】
携帯電話１から送信されたプリント・コンテンツ、プリント注文情報がプリント端末装置30において受信されると（ステップ96）、受信したプリント・コンテンツによって表される内容（画像、テキストなど）がプリント端末装置30のプリンタ42によって、プリント注文情報により指定されるサイズでかつ枚数がプリントされる（ステップ97）。プリント端末装置30におけるプリントの状況（たとえば、何枚目をプリント中かなど）を示すデータがプリント端末装置30から携帯電話１に送信される（ステップ98）。
【００６５】
プリント状況データが携帯電話１において受信されると、図７（Ｂ）に示すように携帯電話１の表示画面110にプリント状況画像が表示される（ステップ84）。プリント状況表示画像には、プリント中である旨のほか、プリントの進行状況を多数の菱形によって示す領域116が含まれている。プリントが進むにつれ、領域116の菱形が黒く塗られていく。すべて黒い菱形となることによりプリントが終了したことを示す。
【００６６】
プリント端末装置30においてプリントが終了すると（ステップ99でＹＥＳ）、プリント終了を示すデータおよび正常にプリントされた枚数を表わすデータが携帯電話１に送信される（ステップ100）。また、プリント・コンテンツがプリント端末装置30から消去される（ステップ101）。
【００６７】
プリント終了を示すデータおよび正常にプリントされた枚数を表わすデータが携帯電話１において受信されると、表示画面110には図７（Ｃ）に示すようにプリント終了画像が表示される（ステップ85）。すると、正常にプリントされた枚数を表わすデータが生成され、携帯電話１からウェブ・サーバ50に送信される（ステップ86）。
【００６８】
ウェブ・サーバ50において携帯電話１から送信されたプリント枚数データが受信されると、プリント枚数に応じた課金処理が実行され、課金結果を表わすデータが携帯電話１に送信される（ステップ65）。
【００６９】
携帯電話１において、ウェブ・サーバ50から送信された課金結果を表わすデータが受信され、表示画面110に課金結果が表示されることとなる（ステップ87）プリント料金は、携帯電話の使用料金としてユーザから徴収されることとなろう。
【００７０】
携帯電話のユーザは、ある特定のサイトの会員に登録されていてもよい。この場合そのサイトからは、ユーザの好むディジタル・コンテンツがプリント出力可能となった場合には、携帯電話に電子メールで通知を行う。通知内容としては、ディジタル・コンテンツの所在するアドレス（ＵＲＬ）を含んでいる。携帯電話のユーザは、この電子メール本文内のＵＲＬをクリックすることで、上述したようにコンテンツの選択作業を行うことができる。
【００７１】
これにより、ユーザはディジタル・コンテンツを検索する手間が省け、好みの分野のディジタル・コンテンツがプリント可能となったことを知ることができ、またその場ですぐにプリント指示を行うことが可能となる。
【図面の簡単な説明】
【図１】
プリント・システムの概要を示している。
【図２】
携帯電話の電気的構成を示すブロック図である。
【図３】
プリント端末装置の電気的構成を示すブロック図である。
【図４】
プリント・システムの処理手順を示すフローチャートである。
【図５】
プリント・システムの処理手順を示すフローチャートである。
【図６】
（Ａ）から（Ｄ）は、携帯電話の表示画面に表示される画像の一例である。
【図７】
（Ａ）から（Ｃ）は、携帯電話の表示画面に表示される画像の一例である。
【符号の説明】
１  携帯電話
２，31  近距離通信用内蔵アンテナ
３、９  送受信回路
７  液晶表示装置
12、39  ＣＰＵ
13  メモリ
14，40  不揮発性メモリ
41  システム・メモリ
42  プリンタ